【事件の表示】
　特願２００５−１２２０３２「データ転送方法」拒絶査定不服審判事件〔平成１７年１１月　４日出願公開、特開２００５−３１０１５５〕について、次のとおり審決する。
【結　論】
　本件審判の請求は、成り立たない。
【理　由】
１．手続の経緯
　本願は、平成１７年４月２０日（パリ条約による優先権主張２００４年４月２２日、台湾）に出願したものであって、平成２０年２月７日付けの拒絶の理由の通知に対して、同年６月１２日付けで手続補正がなされ、その後、平成２１年４月２４日付けの拒絶の理由の通知に対して、同年７月７日付けで意見書が提出されたが、平成２２年１月１８日付けで拒絶をすべき査定がされ、これに対し同年４月２１日に拒絶査定不服審判の請求がなされたので、当審において、平成２３年５月２４日付けで拒絶理由を通知したところ、同年８月１９日付けで意見書が提出されたものである。
　
２．本願発明
　本願の請求項１に係る発明は、平成２０年６月１２日付け手続補正により補正された特許請求の範囲の請求項１に記載された次のとおりのものと認める。（以下「本願発明」という。）
　
「【請求項１】
　差動信号データ伝送システムによりデータを転送する方法であって、
　第１の対の差動入力信号を選択し、第１のデータビットを生成するとともに、前記第１の対の差動入力信号に基づく第１のＤＣ電圧レベルを第１の差動出力信号とするステップと、
　第２の対の差動入力信号を選択し、第２のデータビットを生成するとともに、前記第２の対の差動入力信号に基づく第２のＤＣ電圧レベルを第２の差動出力信号とするステップと、
　前記第１の差動出力信号および前記第２の差動出力信号を第３の対の差動入力信号として、前記第３の対の差動入力信号に応じて第３のデータビットを生成するステップと
を含む、差動信号データ伝送システムによりデータを転送する方法。」
　
３．引用例に記載された発明
　これに対して，当審による拒絶の理由に引用された、特開２００２−２０４２７２号公報、平成１４年７月１９日公開（以下、「引用例」という。）には、図面とともに以下の記載がある。
　
Ａ．「【０００７】
【発明が解決しようとする課題】ところで、ＭＰＵ（Micro Processing Unit ）やメモリなどの高速化に伴い、近年、バスのデータ転送速度を高速化する要求が高まってきている。そして、これに伴って電磁放射ノイズや消費電力の増大が顕著となってきている関係上、一般的にはシリアル線路に用いられていた差動信号伝送技術（低ノイズ・低消費電力が特徴である）をパラレル線路に適用することも提案されている。
【０００８】しかしながら、上記特開平７−２４０７５７号に開示される従来技術をそのままパラレル差動線路に拡張すると、回路構成が複雑であることから、ピン数および回路規模の増大を避けることができない。すなわち、上記従来技術で単純にパラレル差動線路を実現すると、一対の差動線路あたり、周波数選択性終端装置２ピン×２・二次送受信装置３ピン×２・同相ノイズ除去フィルタ群の追加が最低必要になる。
【０００９】また、シングルエンド信号伝送の同相ノイズを上記同相ノイズ除去フィルタ群で除去する手法も、差動線路が信号用グランドでシールドされている場合のみ有効である。すなわち、差動線路が信号用グランドでシールドできない場合、上記従来技術では同相ノイズ除去フィルタ群を用いることができないため、シングルエンド信号伝送の同相ノイズを排除することができない。
【００１０】本発明は、上記従来の事情に基づいて提案されたものであって、簡単な回路構成で実現でき、かつ、シングルエンド信号伝送の同相ノイズを排除できるようにした信号伝送装置およびシステムを提供する。
【００１１】
【課題を解決するための手段】本発明は、上記目的を達成するために以下の手段を採用している。すなわち、本発明は、図１に示すように、２本で一対の信号線１００を介して差動信号とシングルエンド信号とを伝送する信号伝送装置１０２において、上記一対の信号線１００のそれぞれの終端抵抗１１８・１２０の中間電位点Ｐ１に接続されたシングルエンド送受信回路１２４を備えたことを特徴とする。
【００１２】以上のように、本発明では、シングルエンド送受信回路の端子を１端子のみとし、この端子を一対の信号線の終端抵抗の中間電位点に連結することにより、この一対の信号線を介して差動信号とシングルエンド信号とを伝送するようになっている。すなわち、本発明によれば、シングルエンド信号送信回路が１つで済むため、装置全体のピン数を削減できる結果、ＬＳＩ全体の小型化を図ることができる。
【００１３】また、図２に示すように、２対の信号線２００・２０１を備えるとともに、上記シングルエンド送受信回路を相互に逆相となした構成（すなわち、シングルエンド信号についても差動信号伝送技術を適用した構成）を採用してもよい。このようにすれば、差動線路がグランドでシールドされていることの有無に依存することなく二対の信号線に共通して混入する同相ノイズを排除できる。
【００１４】
【発明の実施の形態】以下、本発明の実施の形態を図面に従って詳細に説明する。
（実施の形態１）図１は、本発明を適用した信号伝送システムの構成図であり、この信号伝送システムは、抵抗１１８・１２０・１１９・１２１で終端された一対の信号線１００の一方端に信号伝送装置１０２を接続するとともに、この信号線１００の他方端に信号伝送装置１０３を接続してなる。
【００１５】ここで、上記信号伝送装置１０２（１０３）は、以下に説明する差動送受信回路１２２（１２３）とシングルエンド送受信回路１２４（１２５）とで構成されている。
【００１６】すなわち、差動送受信回路１２２（１２３）は、差動信号を送受信する一対の差動端子対１０４・１０６（１０５・１０７）と、差動信号を送信する差動信号送信回路１０８（１０９）と、差動信号を受信する差動信号受信回路１１０（１１１）とからなる。また、シングルエンド送受信回路１２４（１２５）は、シングルエンド信号を送受信するシングルエンド端子１１２（１１３）と、シングルエンド信号を送信するシングルエンド信号送信回路１１４（１１５）と、シングルエンド信号を受信するシングルエンド信号受信回路１１６（１１７）とからなる。
【００１７】ここで、上記差動信号送信回路１０８（１０９）と上記差動信号受信回路１１０（１１１）とは上記差動端子対１０４・１０６（１０５・１０７）に接続されており、この差動端子１０４・１０６（１０５・１０７）は、一般的な差動伝送と同様、上記一対の信号線１００の一方端（他方端）に連結しておく。また、上記シングルエンド信号送信回路１１４（１１５）と上記シングルエンド信号受信回路１１６（１１７）とは上記シングルエンド端子１１２（１１３）に接続されており、このシングルエンド端子１１２（１１３）は、上記一対の信号線１００の終端抵抗１１８・１２０（１１９・１２１）の中間電位点Ｐ１（Ｐ２）に連結しておく。
【００１８】すなわち、本発明では、差動信号の中間電位点にシングルエンド信号を印加することによって、差動信号の並列終端抵抗をシングルエンド信号の直列終端抵抗と兼用するようにしている。これによって、完全にインピーダンスが整合されるわけではないが、信号反射を低減する効果はあるため、上記従来のような周波数選択性終端装置が不要となる。
【００１９】以下、上記信号伝送システムが差動信号とシングルエンド信号とを同時に伝送する様子を図７に示す信号波形を用いて説明する。なお、以下の説明は、信号伝送装置１０２の差動信号送信回路１０８から信号伝送装置１０３の差動信号受信回路１１１へ差動信号が伝送され、それと独立に、信号伝送装置１０３のシングルエンド信号送信回路１１５から信号伝送装置１０２のシングルエンド信号受信回路１１６へシングルエンド信号が伝送されている場面を想定している。
【００２０】まず、上記したようにシングルエンド端子１１３は一対の信号線１００の終端抵抗１１９・１２１の中間電位点Ｐ２に連結されているため、このシングルエンド端子１１３から送信されるシングルエンド信号７０５（図７（ｄ）参照）は差動信号の中間電位をスイングさせることになる。すなわち、差動信号送信回路１０８から送信される差動信号送信波形７００・７０１、及び、差動信号受信回路１１１で受信される差動信号受信波形７０２・７０３の中間電位は、図７（ａ）及び（ｂ）に示すように、上記シングルエンド信号７０５の変位に追従するようにスイングする（なお、上記差動信号送信波形７００と７０１、及び、上記差動信号受信波形７０２と７０３とは相互に逆相である）。
【００２１】このように差動信号とシングルエンド信号とが重畳して伝送される一方で、差動信号受信回路１１１は、上記重畳された差動信号受信波形７０２・７０３の差を抽出し、図７（ｃ）に示すように差動信号７０４を復元する。
【００２２】また、信号線１００の終端抵抗１１８・１２０の中間電位点Ｐ１に連結されたシングルエンド信号受信回路１１６は、図７（ｅ）に示すように、上記重畳された差動信号受信波形７０２・７０３の中間電位の変位７０６を観測し、この観測結果と内部のリファレンス電位Vrefとを比較することでシングルエンド信号を復元する。
【００２３】以上のように、本実施の形態では、シングルエンド送受信回路の端子を１端子のみとし、この端子を一対の信号線の終端抵抗の中間電位点に連結することにより、この一対の信号線を介して差動信号とシングルエンド信号とを伝送するようになっている。すなわち、本実施の形態によれば、シングルエンド信号送信回路が１つで済むため、装置全体のピン数を削減できる結果、ＬＳＩ全体の小型化を図ることができる。
【００２４】なお、上記の説明では、差動信号とシングルエンド信号の両方が双方向に伝送される場面を想定しているため、差動送受信回路およびシングルエンド送受信回路が共に送信回路と受信回路の両方を備える構成を例示したが、本発明はこれに限定されるものではない。すなわち、差動信号とシングルエンド信号とがそれぞれ単方向に伝送できればよい場面なら、各々のチャネル（図１中、破線で囲んだ部分が１チャネルに相当する）で送信側は送信回路のみ、また受信側は受信回路のみ備える構成であればよい。
【００２５】また、上記の説明では、各抵抗１１８・１２０・１１９・１２１の抵抗値について特に言及していないが、これら抵抗値は、一対の信号線１００の差動インピーダンスをＺｄとするとＲ＝Ｚｄ／２の値とするのが好ましい。このようにすればインピーダンスが整合されて信号の反射を抑えることができるからである。
【００２６】更に、上記差動信号送信回路１０８（１０９）および上記差動信号受信回路１１０（１１１）には特別なものを用いる必要はなく、通常の差動ドライバおよび差動レシーバを用いればよい。
【００２７】同じく、上記シングルエンド信号送信回路１１４（１１５）および上記シングルエンド信号受信回路１１６（１１７）にも特別なものを用いる必要はなく、通常のプッシュプルタイプのＣＭＯＳドライバおよび差動レシーバを用いればよい。
（実施の形態２）以下、図２を用いて、本実施の形態における信号伝送システムの構成を上記実施の形態１と異なる点のみ説明する。
【００２８】まず、この信号伝送システムは、二対の信号線２００・２０１の一方端に信号伝送装置２０２を接続するとともに、これら信号線２００・２０１の他方端に信号伝送装置２０３を接続してなる。なお、上記二対の信号線２００・２０１は、それぞれ抵抗２３０〜２３３・２３４〜２３７で終端されている。
【００２９】ここで、上記信号伝送装置２０２（２０３）は、以下に説明する第１の差動送受信回路２３８（２３９）と第２の差動送受信回路２４０（２４１）とシングルエンド送受信回路２４２（２４３）とで構成されている。
【００３０】すなわち、第１の差動送受信回路２３８（２３９）は、差動信号を送受信する一対の第１の差動端子対２０４・２０６（２０５・２０７）と、差動信号を送信する第１の差動信号送信回路２０８（２０９）と、差動信号を受信する第１の差動信号受信回路２１０（２１１）とからなる。同じく、第２の差動送受信回路２４０（２４１）は、差動信号を送受信する一対の第２の差動端子対２１２・２１４（２１３・２１５）と、差動信号を送信する第２の差動信号送信回路２１６（２１７）と、差動信号を受信する第２の差動信号受信回路２１８（２１９）とからなる。
【００３１】また、シングルエンド送受信回路２４２（２４３）は、正相のシングルエンド信号を送受信する第１のシングルエンド端子２２０（２２１）と、逆相のシングルエンド信号を送受信する第２のシングルエンド端子２２２（２２３）と、正相のシングルエンド信号を送信する正相シングルエンド信号送信回路２２４（２２５）と、逆相のシングルエンド信号を送信する逆相シングルエンド信号送信回路２２６（２２７）と、正相および逆相のシングルエンド信号の差分信号を受信する差分信号受信回路２２８（２２９）とからなる。なお、逆相のシングルエンド信号とは、正相のシングルエンド信号の論理が反転した信号をいう。
【００３２】ここで、上記第１の差動信号送信回路２０８（２０９）と上記第１の差動信号受信回路２１０（２１１）とは上記第１の差動端子対２０４・２０６（２１３・２１５）に接続されており、この第１の差動端子対２０４・２０６（２１３・２１５）は、一般的な差動伝送と同様、上記一対の信号線２００の一方端（他方端）に連結しておく。同じく、上記第２の差動信号送信回路２１６（２１７）と上記第２の差動信号受信回路２１８（２１９）とは上記第２の差動端子対２１２・２１４（２１３・２１５）に接続されており、この第２の差動端子対２１２・２１４（２１３・２１５）は、一般的な差動伝送と同様、上記一対の信号線２０１の一方端（他方端）に連結しておく。
【００３３】また、上記正相シングルエンド信号送信回路２２４（２２５）は上記第１のシングルエンド端子２２０（２２１）に接続され、上記逆相シングルエンド信号送信回路２２６（２２７）は上記第２のシングルエンド端子２２２（２２３）に接続され、上記差分信号受信回路２２８（２２９）は上記第１のシングルエンド端子２２０（２２１）と上記第２のシングルエンド端子２２２（２２３）の両方に接続されている。そして、この第１のシングルエンド端子２２０（２２１）は、上記一対の信号線２００の終端抵抗２３０・２３２（２３１・２３３）の中間電位点Ｐ３（Ｐ４）に連結し、第２のシングルエンド端子２２２（２２３）は、上記一対の信号線２０１の終端抵抗２３４・２３６（２３５・２３７）の中間電位点Ｐ５（Ｐ６）に連結しておく。
【００３４】以上のように、本実施の形態では、二対の信号線を介して差動信号とシングルエンド信号の差分信号とを伝送する構成を採用している。すなわち、シングルエンド信号についても差動信号伝送技術を適用するようにしたので、差動線路がグランドでシールドされていることの有無に依存することなく二対の信号線に共通して混入する同相ノイズを排除できる。
【００３５】また、シングルエンド信号を差分で受信するようにしているため、受信感度のマージンも大きくなり、よりノイズ耐性を強くできるという効果もある。
（実施の形態３）以下、図３を用いて、本実施の形態における信号伝送システムの構成を上記実施の形態１と異なる点のみ説明する。」（段落【０００７】−【００３５】）
　
　以上の記載によれば、引用例には、次の発明（以下「引用発明」という。）が記載されている。
　
「第１の差動送受信回路２３８（２３９）は、差動信号を送受信する一対の第１の差動端子対２０４・２０６（２０５・２０７）と、差動信号を送信する第１の差動信号送信回路２０８（２０９）と、差動信号を受信する第１の差動信号受信回路２１０（２１１）とからなり、
　同じく、第２の差動送受信回路２４０（２４１）は、差動信号を送受信する一対の第２の差動端子対２１２・２１４（２１３・２１５）と、差動信号を送信する第２の差動信号送信回路２１６（２１７）と、差動信号を受信する第２の差動信号受信回路２１８（２１９）とからなり、
　シングルエンド送受信回路２４２（２４３）は、正相のシングルエンド信号を送受信する第１のシングルエンド端子２２０（２２１）と、逆相のシングルエンド信号を送受信する第２のシングルエンド端子２２２（２２３）と、正相のシングルエンド信号を送信する正相シングルエンド信号送信回路２２４（２２５）と、逆相のシングルエンド信号を送信する逆相シングルエンド信号送信回路２２６（２２７）と、正相および逆相のシングルエンド信号の差分信号を受信する差分信号受信回路２２８（２２９）とからなり、
　逆相のシングルエンド信号とは、正相のシングルエンド信号の論理が反転した信号をいい、
　上記第１の差動信号送信回路２０８（２０９）と上記第１の差動信号受信回路２１０（２１１）とは上記第１の差動端子対２０４・２０６（２０５・２０７）に接続されており、この第１の差動端子対２０４・２０６（２０５・２０７）は、一般的な差動伝送と同様、上記一対の信号線２００の一方端（他方端）に連結され、
　同じく、上記第２の差動信号送信回路２１６（２１７）と上記第２の差動信号受信回路２１８（２１９）とは上記第２の差動端子対２１２・２１４（２１３・２１５）に接続されており、この第２の差動端子対２１２・２１４（２１３・２１５）は、一般的な差動伝送と同様、上記一対の信号線２０１の一方端（他方端）に連結され、
　上記正相シングルエンド信号送信回路２２４（２２５）は上記第１のシングルエンド端子２２０（２２１）に接続され、上記逆相シングルエンド信号送信回路２２６（２２７）は上記第２のシングルエンド端子２２２（２２３）に接続され、
　上記差分信号受信回路２２８（２２９）は上記第１のシングルエンド端子２２０（２２１）と上記第２のシングルエンド端子２２２（２２３）の両方に接続され、
　この第１のシングルエンド端子２２０（２２１）は、上記一対の信号線２００の終端抵抗２３０・２３２（２３１・２３３）の中間電位点Ｐ３（Ｐ４）に連結し、第２のシングルエンド端子２２２（２２３）は、上記一対の信号線２０１の終端抵抗２３４・２３６（２３５・２３７）の中間電位点Ｐ５（Ｐ６）に連結されており、
　シングルエンド信号は差動信号の中間電位をスイングさせるものである、
　二対の信号線を介して差動信号とシングルエンド信号の差分信号とを伝送する構成を採用している信号伝送システム。」
　
　なお、上記摘記Ａ．段落【００３２】には「ここで、上記第１の差動信号送信回路２０８（２０９）と上記第１の差動信号受信回路２１０（２１１）とは上記第１の差動端子対２０４・２０６（２１３・２１５）に接続されており、この第１の差動端子対２０４・２０６（２１３・２１５）は、一般的な差動伝送と同様、上記一対の信号線２００の一方端（他方端）に連結されており」と記載されているが、引用例の【図２】の記載と比較すると、段落【００３２】の記載は「上記第１の差動端子対２０４・２０６（
２０５・２０７
２０５・２０７
　
４．対比
　本願発明と引用発明を対比する。
　
　引用発明は、二対の信号線を介して差動信号とシングルエンド信号の差分信号とを伝送する構成を採用している信号伝送システムであるので、引用発明の信号伝送システムは、差動信号データ伝送システムによりデータを転送する方法を実現していると言える。
　引用発明の第１の差動送受信回路２３８（２３９）は、差動信号を送受信する一対の第１の差動端子対２０４・２０６（２０５・２０７）と、差動信号を送信する第１の差動信号送信回路２０８（２０９）と、差動信号を受信する第１の差動信号受信回路２１０（２１１）とからなっているので、信号を伝送する場合に、本願発明における「第１の対の差動入力信号を選択し、第１のデータ」「を生成する」ことに相当する動作が行われることは明らかである。同様に、引用発明の第２の差動送受信回路２４０（２４１）は、差動信号を送受信する一対の第２の差動端子対２１２・２１４（２１３・２１５）と、差動信号を送信する第２の差動信号送信回路２１６（２１７）と、差動信号を受信する第２の差動信号受信回路２１８（２１９）とからなっているので、信号を伝送する場合に、本願発明における「第２の対の差動入力信号を選択し、第２のデータ」「を生成する」ことに相当する動作が行われることも明らかである。
　引用発明は、二対の信号線を介して差動信号とシングルエンド信号の差分信号とを伝送する構成であり、第１のシングルエンド端子２２０（２２１）は、一対の信号線２００の終端抵抗２３０・２３２（２３１・２３３）の中間電位点Ｐ３（Ｐ４）に連結し、第２のシングルエンド端子２２２（２２３）は、上記一対の信号線２０１の終端抵抗２３４・２３６（２３５・２３７）の中間電位点Ｐ５（Ｐ６）に連結されているので、引用発明の第１のシングルエンド端子２２０（２２１）は、一対の信号線２００の差動信号に基づく電圧レベルが生じており、また、第２のシングルエンド端子２２２（２２３）は、一対の信号線２０１の差動信号に基づく電圧レベルが生じていることになる。そのため、引用発明は、本願発明の「第１の対の差動入力信号に基づく第１の」「電圧レベルを第１の差動出力信号とする」ことに相当する動作と、「第２の対の差動入力信号に基づく第２の」「電圧レベルを第２の差動出力信号とする」ことに相当する動作が行われると言える。
　また、引用発明のシングルエンド送受信回路２４２（２４３）は、正相のシングルエンド信号を送受信する第１のシングルエンド端子２２０（２２１）と、逆相のシングルエンド信号を送受信する第２のシングルエンド端子２２２（２２３）と、正相のシングルエンド信号を送信する正相シングルエンド信号送信回路２２４（２２５）と、逆相のシングルエンド信号を送信する逆相シングルエンド信号送信回路２２６（２２７）と、正相および逆相のシングルエンド信号の差分信号を受信する差分信号受信回路２２８（２２９）とからなっており、第１のシングルエンド端子２２０（２２１）と第２のシングルエンド端子２２２（２２３）は、一対の信号線２００の差動信号に基づく電圧レベルと一対の信号線２００の差動信号に基づく電圧レベルの入力及び出力がなされていることになり、差分信号受信回路２２８（２２９）は、第１のシングルエンド端子２２０（２２１）と第２のシングルエンド端子２２２（２２３）からの電圧による信号を受信していることになる。
そのため、正相および逆相のシングルエンド信号の差分信号を受信する差分信号受信回路２２８（２２９）は、本願発明における「前記第１の差動出力信号および前記第２の差動出力信号を第３の対の差動入力信号として、前記第３の対の差動入力信号に応じて第３のデータ」「を生成する」ことに相当する動作を行っていると言える。
　
　よって、本願発明と引用発明とは、次の点で一致する。
　
一致点
「差動信号データ伝送システムによりデータを転送する方法であって、
　第１の対の差動入力信号を選択し、第１のデータを生成するとともに、前記第１の対の差動入力信号に基づく第１の電圧レベルを第１の差動出力信号とするステップと、
　第２の対の差動入力信号を選択し、第２のデータを生成するとともに、前記第２の対の差動入力信号に基づく第２の電圧レベルを第２の差動出力信号とするステップと、
　前記第１の差動出力信号および前記第２の差動出力信号を第３の対の差動入力信号として、前記第３の対の差動入力信号に応じて第３のデータを生成するステップと
を含む、差動信号データ伝送システムによりデータを転送する方法。」
　
　一方、両者は次の点で相違する。
　
（相違点１）
　本願発明は、第１の対の差動入力信号に基づく第１のＤＣ電圧レベルを第１の差動出力信号とするステップと、第２の対の差動入力信号に基づく第２のＤＣ電圧レベルを第２の差動出力信号とするステップを有しているのに対し、引用発明は、第１の対の差動入力信号に基づく第１の電圧レベルを第１の差動出力信号とし、第２の対の差動入力信号に基づく第２の電圧レベルを第２の差動出力信号としているが、第１の電圧レベルと第２の電圧レベルが共にＤＣ電圧レベルであることの特定がなされていない点。
　
（相違点２）
　本願発明は、第１の対の差動入力信号を選択し、第１のデータビットを生成し、第２の対の差動入力信号を選択し、第２のデータビットを生成し、第３の対の差動入力信号に応じて第３のデータビットを生成するものであるのに対し、引用発明は、第１、第２、第３のデータを生成するものではあるが、それらのデータがデータビットであることの特定がなされていない点。
　
５．当審の判断
　
（相違点１について）
　引用発明は、第１のシングルエンド端子２２０（２２１）は、一対の信号線２００の終端抵抗２３０・２３２（２３１・２３３）の中間電位点Ｐ３（Ｐ４）に連結し、第２のシングルエンド端子２２２（２２３）は、一対の信号線２０１の終端抵抗２３４・２３６（２３５・２３７）の中間電位点Ｐ５（Ｐ６）に連結されており、また、シングルエンド信号は差動信号の中間電位をスイングさせるものである。
　これに対し、本願発明は、差動入力信号に基づく第１と第２のＤＣ電圧レベルを入力とするものであるが、本願の発明の詳細な説明の段落【００１７】及び【図２】における電圧レベルＰ０およびＮ０とデータビットＤ０のＤＣ電圧レベルＶｃｏｍ０を参照すると、本願発明で特定されているＤＣ電圧とは、１対の差動入力の平均電位、すなわち中間電位を示すものであると認められ、この電圧をＤＣ電圧レベルとして特定している。そうすると、引用発明では、ＤＣ電圧レベルという用語の明示はなされていないが、引用発明における第１と第２の対による正相と逆相のシングルエンド信号としての入力電圧と、本願発明における第１と第２のＤＣ電圧レベルとの間に実質的な差異は認められない。
　
（相違点２について）
　引用発明のような差分信号を伝送する信号伝送システムは、デジタル信号を伝送することは当然想定されているものである。ここで、複数の線路の信号間の差である差動信号を各ビットとして符号化して用い、かつ、線路の数よりも多いビット情報を伝送することを実現することは周知の技術である（特開平４−２３０１４７号公報：段落【０００７】−【００１８】（平成２１年４月２４日付け拒絶理由通知で引用した文献）、特開平１１−２３４３４８号公報：段落【０００３】−【０００７】を参照。）。
　したがって、上記の周知技術を引用発明に適用し、二対の信号線を介した差動信号とシングルエンド信号の差分信号による伝送の対象とするデータをデータビットとして、本願発明のように構成することは、当業者であれば容易に想到し得ることである。
　
　なお、審判請求人は、平成２３年８月１９日付けの意見書の中で、引用発明は、信号の反射問題を解決しているものでありＤＣレベルを使ってデジタルデータをコード化する方法を開示するものではないとの主張をしている。　しかしながら、差動信号のＤＣ電圧レベルの利用に関しては、相違点１について検討したとおりであり、また、引用発明は差動信号だけでなくシングルエンド信号も同時に伝送するための簡単な回路を提案するものであり、信号の反射問題の解決、ノイズの除去のみを提案する発明ではないので、審判請求人の主張は採用できない。
　
　そして、本願発明の作用効果も、引用発明及び周知技術から当業者が予測できる範囲のものである。
　
６．むすび
　したがって、本願発明は、引用例に記載された発明及び周知技術に基づいて当業者が容易に発明をすることができたものであるから、特許法２９条２項の規定により特許を受けることができない。
　よって、結論のとおり審決する。